(57)【特許請求の範囲】
【請求項１】
織機サイドフレーム（１６）に、案内ローラ（３）を支持する支持アーム（２）を上下位置調整自在に取り付ける取り付け位置調整装置において、
前記織機サイドフレーム（１６）には、側面（１５）に平行な対向面（３３）を有する案内溝（３７）を設け、
前記支持アーム（２）には前記案内溝（３７）に沿って案内され、かつ、対向面（３３）と圧縮接触可能な当接面（３２）を有する案内突起部（１９）及び織機サイドフレーム（１６）の側面（１５）と対向する傾斜面（２９）を設け、
前記織機サイドフレーム（１６）と支持アーム（２）との相対的上下位置を調整するための上下位置調整ねじ（１７）を設け、
楔状に形成されている二個の締め付け部材（２０，２１）が、前記織機サイドフレーム（１６）の側面（１５）と支持アーム（２）の傾斜面（２９）との間に配置され、かつ、その側面（１５）と平行に延びる垂直面（２７）および当該傾斜面（２９）と相対する楔面（２８）を有し、
さらに、該締め付け部材（２０，２１）を操作して、前記対向面（３３）と当接面（３２）とを互いに圧縮接触させて織機サイドフレーム（１６）と支持アーム（２）とを一体に締結するセットねじ（２２）を設け、
セットねじ（２２）の操作によって、二個の楔形の締め付け部材（２０，２１）を支持アーム（２）に対して移動調整可能となした
ことを特徴とする取り付け位置調整装置。
【請求項２】
セットねじ（２２）の操作により互いに反対方向へ移動可能である２個の締め付け部材（２０、２１）を配置したことを特徴とする請求項１に記載の取り付け位置調整装置。
【請求項３】
支持アーム（２）には、締め付け部材（２０、２１）の移動経路を制限するストッパー（３０、３１）を設けたことを特徴とする請求項１または２に記載の取り付け位置調整装置。
【請求項４】
セットねじ（２２）が、２個の締め付け部材（２０、２１）を互いに締め付けることを特徴とする請求項１から３のいずれか１つに記載の取り付け位置調整装置。
【発明の詳細な説明】
【０００１】
【産業上の利用分野】
本発明は、支持アームの位置を調整する調整ねじと、支持アームを機械フレームの調整された位置に締め付ける手段とを有し、その機械フレームの側部に支持アームを位置調整自在に取り付ける装置であって、特に織機である機械フレームの側部に、たて糸用の案内ローラを担持する支持アームを位置調整自在に取り付ける装置に関する。
【０００２】
【従来の技術】
織機においては機械部材、特にたて糸案内装置の支持機構用の支持アームを高さ位置調整自在に織機の機械フレームに取り付けることが公知である。その支持アームは、調整ねじによって高さ調整自在に保持される。紡織工程中に支持アームを調整された位置に固定するために、支持アームは補助的な固定手段によって機械フレームに保持される。固定のためにねじ連結器を設けることが公知であるが、これはかなり大きい力で締め付けなければならない。従って、複数個のねじを含むこのねじ連結器は操作し難い。その上にこのねじ連結器はアクセスし難い位置にあることが多い。
【０００３】
【発明が解決しようとする課題】
本発明の課題は、操作し易い冒頭に述べた機械フレームの側部と支持アームとの取り付け装置を製造することにある。
【０００４】
【課題を解決するための手段】
上記の課題は、支持アームと、織機サイドフレームとの間に案内溝と案内突起部とを設け、且つ上下位置調整ねじとセットねじを用いて操作可能な二個の締め付け部材を支持アームと織機サイドフレームとの間に配設し、この締め付け部材によって案内突起部の当接面を案内溝の対向面に対して圧縮接触させる構成によって解決される。
【０００５】
このような装置は、操作が簡単で迅速にでき、調整ねじとセット部材をアクセスし易い位置に設けることができる。
【０００６】
次にこの発明の実施例を、添付図面を参照しつつ詳細に説明する。
【０００７】
【実施例】
図１には、たて糸巻きから送られるたて糸群１４を支持し、そのたて糸を案内する案内ローラ３の支持機構を有する取付け装置１を図示している。案内ローラ３は、その軸１２で２個の揺動アーム５に支承されており、揺動アーム５は、揺動軸４によって支持アーム２に支承されている。双方の揺動アーム５の自由端は、それぞれ圧縮ばね７によって支持されている支持部材８を介して変位可能に、かつ支持アーム２に保持されている。圧縮ばね７の先端に設けられている端部１０は、上記揺動アーム５に設けている複数の切り欠き部１１のいずれか１つと係合されている。したがってその端部１０が別の切り欠き部１３とも係合可能であるように揺動軸９を中心に変位可能である。
【０００８】
双方の支持アーム２は、それぞれが織機の機械フレームの側部１６の前端部に高さ調整自在に固定されている。機械フレームの側部１６の前端の領域には、垂直方向に延びた切り込み溝３７を設け、この切り込み溝３７内にハンマー頭状の厚肉の案内突起部１９が案内されている。ハンマー頭状の案内突起部１９は、支持アーム２側の案内面３２で、切り込み溝３７の縁部３４の対応する対向面３３と当接している。ハンマー頭状の案内突起部１９には、ねじ山を設け、このねじ山に溝と平行に向いた調整ねじ１７が係合する。この調整ねじ１７のねじ頭は、機械フレームの側部１６に固定され、溝を上方で制限する板部材１８に支持されている。したがって、調整ねじ１７を回すことにより、支持アーム２、ひいては案内ローラ３の高さ位置を調整することができる。この場合、支持アーム２と案内ローラ３の重さは調整ねじ１７によって受けられる。
【０００９】
支持アーム２を調整された高さ位置に固定することができるように、２個のくさび形の締め付け部材２０，２１が設けられている。双方の締め付け部材２０，２１は、機械フレームの側部１６の前面１５と平行に延びる面２７と、支持アーム２に設けられている傾斜面２９と対応する斜めの楔面２８とを有している。
【００１０】
双方の締め付け部材２０，２１は、セットねじ２２によって噛合連結されている。そのセットねじ２２は、そのねじ山が一方の締め付け部材２０のねじ山にねじ込まれており、他方の締め付け部材２１に対しては、その貫通孔内を貫通し、さらにセットねじ２２のねじ頭は締め付け部材２０と反対側に位置される。
【００１１】
セットねじ２２は、締め付け部材２１のカム２３が内部に配設されたノッチ３５内で支持アーム２を貫通する。カム２３はスリーブ２４から成っており、このスリーブ２４は、セットねじ２２上にねじ止めされた２個の薄ナット２６から成る支持部材２５上に支持されている。支持アーム２には、締め付け部材２０，２１が通る可能性がある経路を制限するストッパ３０，３１を有している。
【００１２】
図１に示すように、調整ねじ１７と、締め付け部材２０，２１の位置調整部材として機能するセットねじ２２とは、互いに平行に延びており、しかも略同一の操作位置から操作可能であって、それらのねじは双方とも上部から適宜の工具がアクセスできるので、快適でアクセスし易い操作が可能である。図１では取り付け装置は支持アーム２が機械フレームの側部１６に固定された位置にある。すなわち、双方の締め付け部材２０，２１はセットねじ２２を締めることによって締め付け位置にある。この位置で締め付け部材２０，２１は、支持アーム２の案内突起部１９の面３２が確実に対向面３３に押圧されるように作用する。
【００１３】
支持アーム２の高さ位置を変える必要がある場合は、先ずセットねじ２２を弛め、この弛めによって締め付け部材は図３に示す位置になり、この位置ではカム２３はそれが締め付け部材２１と当接するまで、すなわちスリーブ２４の自由縁が締め付け部材２１に当接するまで変位している。セットねじ２２を更に「弛める」方向に回すと、締め付け部材２１が従動する。（図４）締め付け部材２１がストッパ３１に向かって動き始めると直ちに、セットねじ２２を更に回すことによって締め付け部材が弛む。
【００１４】
締め付け部材２０を弛めたい場合は、締め付け部材２０は、ストッパ３０に向かって動き始める（図６）。それからセットねじ２２を更に回すことによって、対向する締め付け部材が弛むので、いずれの場合も双方の締め付け部材２０，２１のくさび面２８が支持アーム２の相対する面２９から解放される位置が得られる。このときに、調整ねじ１７を回すことによって支持アーム２の高さ位置を変更することができる。この支持アーム２の高さ位置が決められた後、締め付け部材２０，２１用の調整部材として機能するセットねじ２２を締め付けることによってその支持アーム２の高さ位置が固定される。
【００１５】
図７には締め付け部材２１用のカム２３が簡略化された形状を有する変形例が示されている。カム２３はセットねじ２２の横穴に挿入される横ピン３６から成っている。
【００１６】
変形例の取り付け装置では、セットねじ２２が締め付け部材２０，２１の一つにそれぞれ割当てられた２個の反対向きのねじセグメントを有する構成になっている。
【００１７】
図示した実施態様とは異なり、特に締め付け部材を軸方向の相対移動によって弛め位置又は締め付け位置に変位するのではなく、旋回によって変位する別の締め付け部材を利用することもできる。例えば、このために案内突起部１９内に調整ねじ１７と平行に配置された偏心ローラを設けることができ、これも調整ねじ１７と平行に延びるセットねじ時２２を介して操作することができる。
【００１８】
【発明の効果】
本発明の利点は、調整ねじ１７とセットねじ２２とを、ほぼ同じ位置からアクセスできるので、支持アームの上下位置調整が簡単で、かつ快適な操作で可能となることにある。
【図面の簡単な説明】
【図１】本発明に基づく装置の縦断面図である。
【図２】図１のＩＩ−ＩＩ線に沿った断面図である。
【図３】図１の装置の締め付け及び弛め過程での種々の位置を示す部分図である。
【図４】図１の装置の締め付け及び弛め過程での種々の位置を示す部分図である。
【図５】図１の装置の締め付け及び弛め過程での種々の位置を示す部分図である。
【図６】図１の装置の締め付け及び弛め過程での種々の位置を示す部分図である。
【図７】図１と類似した別の実施態様の縦断面図である。
【符号の説明】
１…取り付け装置
２…支持アーム
３…案内ローラ
４…揺動軸
５…揺動アーム
６…アーム
７…圧縮ばね
８…支持部材
９…軸
１０…端部
１１…切り欠き部
１２…軸
１３…切り欠き部
１４…たて糸群
１５…前面
１６…機械フレームの側部
１７…調整ねじ
１８…板部材
１９…案内突起部
２０…締め付け部材
２１…締め付け部材
２２…セットねじ
２３…カム
２４…スリーブ
２５…支持部材
２６…薄ナット
２７…面
２８…くさび面
２９…傾斜面
３０…ストッパ
３１…ストッパ
３２…案内面
３３…対向面
３４…縁部
３５…ノッチ
３６…横ピン
３７…切り込み溝
【図１】
0003835828.tif 000002
【図２】
0003835828.tif 000003
【図３】
0003835828.tif 000004
【図４】
0003835828.tif 000005
【図５】
0003835828.tif 000006
【図６】
0003835828.tif 000007
【図７】
0003835828.tif 000008